(57)【要約】【課題】ＬＥＤを光源とし、ＬＥＤから発生する熱を効率よく放熱するとともに、組立性を向上した照明器具を提供する。【解決手段】照明器具１０００は、本体部上面部１１０を覆う放熱ユニット２００が、本体部上面部１１０と略同一サイズの放熱部２１０に、光源部７００が取り付けられる光源取付部２２０と、光源部７００が点灯時に発する熱を放熱部２１０に伝熱する伝熱部２３０と、光源部７００により構成することで、ＬＥＤから発生する熱を効率よく放熱するとともに、組立性を向上した照明器具を提供することができる。【選択図】  図２
2015099682.tif 000002
【特許請求の範囲】
【請求項１】
光源を備えた照明器具において、
前記照明器具の一面に形成された開口部と、
前記開口部を覆う放熱部と、
前記照明器具内に配置され前記光源が取り付けられる取付面及び前記放熱部と面接触する接触面を有する光源取付部と、
前記放熱部と前記光源取付部に面接触する伝熱部と、
を備えたことを特徴とする照明器具。
【請求項２】
前記光源取付部の前記取付面が前記接触面に対して傾斜していることを特徴とする請求項１に記載の照明器具。
【請求項３】
前記照明器具は、前記開口部に対向する面に透光部が形成されており、
前記透光部は、前記放熱部に対して略平行であることを特徴とした請求項１に記載の照明器具。
【請求項４】
前記照明器具は、前記取付面に取り付けられた前記光源からの照射を反射する反射部を備えており、
前記反射部は、
前記光源からの照射方向と交差する方向へ反射させる反射面と、
反射面の先端に設けられた傾斜部と、
を備えていることを特徴とした請求項１〜３に記載の照明器具。
【請求項５】
光源が取り付けられる放熱ユニットにおいて、
放熱部と、
前記光源を取り付ける取付面と前記放熱部と面接触する接触面を有する光源取付部と、
前記放熱部と前記光源取付部に面接触する補助伝熱部と、
を備えたことを特徴とする放熱ユニット。
【請求項６】
前記光源取付部の前記取付面が前記接触面に対して傾斜していることを特徴とする請求項５に記載の放熱ユニット。
【発明の詳細な説明】
【技術分野】
【０００１】
本発明は、ＬＥＤを光源とした照明器具に関する。
【背景技術】
【０００２】
街路灯など屋外に設置される照明器具に用いる光源として、近年、省電力、長寿命などの特徴を有するＬＥＤが注目されている。しかし、ＬＥＤは電流を印加すると発熱するため、高温になると樹脂などの構成部品の劣化や光量の低下を招来し、品質劣化、寿命の低下につながる。そのため、ＬＥＤを光源とする照明装置においては効率的な放熱が課題となっているが、街路灯については、長時間の連続使用がなされること、高輝度のＬＥＤが多数使用されるため発熱量が比較的大きいこと、及びメンテナンス軽減のため長寿命が求められることから、効率的に放熱することが要求されている。
【０００３】
このようなＬＥＤを用いた屋外用照明器具の放熱方法として、アルミニウムを素材として放熱フィンとＬＥＤ取付部を一体になるように鋳造により成形された放熱体を用いたものがある。ＬＥＤを放熱体に直接取り付けを行なうことで、効率的に放熱を行なっている（特許文献１）。
【０００４】
また、ＬＥＤだけでなく、ＬＥＤを点灯させるための電源も効率よく放熱を行なうために、かつ電源がＬＥＤから発せられる光を遮らないように、ＬＥＤが取り付けられるＬＥＤ取付部に、電源を配設できる凹部が形成されている放熱体を用いて放熱を行なっているものもある（特許文献２）。
【先行技術文献】
【特許文献】
【０００５】
【特許文献１】特開２０１１−５４３４８号公報（段落［００１１］〜段落［００１５］参照。）
【特許文献２】特開２０１１−１５４７８５号公報（段落［００２６］〜段落［００４５］参照。）
【発明の概要】
【発明が解決しようとする課題】
【０００６】
しかしながら、特許文献１に記載の放熱体は放熱フィンとＬＥＤ取付面が一体な形状であるため、この放熱体を成形のための金型が必要になる。また、街路灯など大型な照明器具では放熱体が大型になる、とともに重量が増え、組立作業への負担が考えられる。
【０００７】
特許文献２に記載の筐体は、ＬＥＤ取付部に、電源を取り付けするための凹部を設けているため、照明器具が大きくなり特許文献１と同じく組立作業への影響が考えられる。
またＬＥＤ取付部に形成される凹部によって、複数のＬＥＤが配列される場合にそれらのＬＥＤの配列の間に間隔ができるので、この間隔に照射させるためにはＬＥＤ広配光のＬＥＤを使用する必要がある。
【０００８】
そこで、本発明では、上記のような課題を解決するためになされたものであり、組み立て易く、効率よく放熱が可能な照明器具を提供することを目的とする。
【課題を解決するための手段】
【０００９】
本発明における光源を備えた照明器具は、前記照明器具の一面に形成された開口部と、前記開口部を覆う放熱部と、前記照明器具内に配置され前記光源が取り付けられる取付面及び前記放熱部と面接触する接触面を有する光源取付部と、前記放熱部と前記光源取付部に面接触する伝熱部と、を備えたことを特徴とするものである。
【発明の効果】
【００１０】
本発明によれば、組立作業性が優れ、効率よく放熱が可能な照明器具を提供することができる。
【図面の簡単な説明】
【００１１】
【図１】実施の形態１の照明器具を示す斜視図である。
【図２】図１の照明器具を分解した状態を示す分解斜視図である。
【図３】図２の照明器具を他の角度から見たときの状態を示す分解斜視図である。
【図４】図１の照明器具の断面を示す断面図である。
【図５】図４の照明器具を分解した状態を示す分解断面図である。
【図６】図５の照明器具をさらに分解した状態を示す分解断面図である。
【発明を実施するための形態】
【００１２】
（実施の形態１）
照明器具１０００の構成に関して説明する。
図１は、実施の形態１に示す照明器具の斜視図であり、図１（ａ）は、発光面から照明器具を見たときの斜視図、図１（ｂ）は、図１（ａ）の反対側から見たときの斜視図である。図２は、図１の照明器具を分解した状態を示す分解斜視図である。図３は、図２の照明器具を他の角度から見たときの状態を示す分解斜視図である。図４は図１の照明器具の断面を示す断面図である。図５は図４の照明器具を分解した状態を示す断面図である。図６は図５の照明器具をさらに分解した状態を示す断面図である。
【００１３】
照明器具１０００は、本体部１００と、この本体部１００に内蔵される電源部４００、反射板及び端子台６００と、本体部１００に取り付けられる放熱ユニット２００と、この放熱ユニット２００に取り付けられる光源部７００と、本体部１００に回動するように取り付けられる透光カバー３００から構成されている。
【００１４】
この実施の形態における照明器具１０００は、支柱など躯体（図示なし）に取り付けられたときに、放熱ユニット２００を上側、透光カバー３００を下側に配置されるように本体部１００に取り付けている。
【００１５】
本体部１００は、四角形の箱形状をしており、本体部上面部１１０には放熱ユニット２００に備えられている光源部７００が挿入される挿入部１１１が形成されており、本体部下面部１２０側には反射板５００が挿入可能であり、透光カバー３００により塞がれる照射開口部１２１が形成されている。
【００１６】
本体部１００は、四角形の箱形状をしており、それぞれ本体部１００の上面を本体部上面部１１０、下面を本体部下面部１２０、４つの側面のうちの１面を本体部側面部１３０、本体部側面部１３０と対向する１面を本体正面部１５０、残りの２面を本体横側面部１６０とする。
【００１７】
また、本体部１００の内側には、反射板５００を取り付けるための反射板固体部１４０と、電源部４００を取り付けるための電源固定部１７０と、外部から引き込まれる電線が取り付けられる端子台１８０が配設されている。
【００１８】
本体部上面部１１０は、放熱ユニット２００に取り付けられる光源部７００が挿入可能な角孔形状に開けられた挿入部１１１と、この挿入部１１１を囲むように、放熱ユニット２００が当接するスペーサー１１２と、このスペーサー１１２に放熱ユニット２００を固定するための天面カバー用ねじ孔１１３が形成されている。
【００１９】
本体部下面部１２０は、開口しており、その内側に開口された照射開口部１２１を形成するように「ロ」の字状に取り付けられる透光カバー受部１２２と、この透光カバー受部１２２に形成され、透光カバー３００を固定するための透光カバー固定ねじ孔１２３と、本体部正面部１５０の本体部下面部１２０と透光カバー受部１２２の間に、透光カバー３００と連結する透光カバー連結蝶番１２４を有している。
【００２０】
本体取付面部１３０は、支柱などの躯体（図示なし）などに取り付けられる部分であり、躯体に取り付けられる取孔付１３１と、躯体から引き込まれる電源線が挿通可能な電源引込孔１３２が形成されている。
【００２１】
反射板固定部１４０は、本体取付面部１３０と平行するように、本体部上面部１１０の内側より突出している反射板固定部垂直面１４１と、この反射板固定部垂直面１４１の本体部下面部１２０側に向いた一辺より本体部下面部１２０と平行に突出した反射板固定部垂水平面１４２から構成されている。なお、反射板固定部１４０は、挿入部１１１を挟み込むように本体取付面部１３０側と、この本体取付面部１３０と向かいあう本体正面１５０側に対になるように配置されている。
【００２２】
反射板固定部垂水平面１４２には、反射板５００を固定する反射板固定ねじ孔１４３が形成されている。
【００２３】
電源固定部１７０は、電源部４００を固定するための電源固定ねじ孔１７１を有しており、対向する本体横側面１６０の両側面より本体部１００内部方向へ、本体上面１１０と平行になるように突出し形成されている。
また、電源固定部１７０は電源部４００が本体横側面１６０と当接するように固定し、電源部４００及び電源固定部１７０が、反射板５００及び反射板固定部１４０と干渉しないように配設されている。
【００２４】
放熱ユニット２００は、放熱部２１０と、光源取付部２２０と、伝熱部２３０と、光源部７００とから構成されている。
【００２５】
放熱ユニット２００は、挿入孔１１１より光源部７００が挿入され、放熱部２１０とスペーサー１１２が当接し、放熱部２１０が本体部上面部１１０に被さる。
【００２６】
放熱部２１０は放熱部取付孔２１３を介しねじにより天面カバー用ねじ孔１１３に固定される。
放熱部２１０が天面カバー用ねじ孔１１３にねじが螺合するに伴い、天板部に備えられたパッキン２１６が本体部上面部１１０と放熱部２１０に挟まれ圧縮する。
放熱部２１０は、アルミニウムを素材として成形されており、本体部１００に被さり、本体部上面部１１０を覆うものである。
【００２７】
放熱部２１０は、本体部上面部１１０と当接する放熱部本体面２１１と、放熱部本体面２１１の周辺から垂直に突出し本体部横側面１６０と本体部正面部１５０の一部を覆う放熱部側面２１２から構成されている。
【００２８】
放熱部本体面２１１は、本体部上面部１１０と略同一サイズをしており、放熱部２１０が本体部１００に被さったときに、本体部上面部１１０の天面カバー用ねじ孔１１３と同位置になるように放熱部取付孔２１３が形成されている。
【００２９】
さらに、光源取付部２２０の取り付けを行なうための光源取付部固定孔２１４と、伝熱部２３０の取り付けを行なう伝熱部固定孔２１５が設けられている。
また、放熱部２１０が本体部１００に被さったときに、本体部上面部１１０のスペーサー１１２の外周部に当接するように、パッキン２１６が放熱部本体面２１１に配設されている。
【００３０】
光源取付部２２０は、アルミニウムを素材として成形されており、放熱部２１０に取り付き、光源部７００を保持するものである。
【００３１】
光源取付部２２０は、放熱部２１０に当接しねじにより光源取付部固定孔２１４に固定される接触面２２１と、接触面２２１の対向する２辺より垂直方向へと形成された垂直面２２２と、それぞれの垂直面２２２の端辺より垂直・水平方向ともに接触面２２１と反対方向へ傾斜した取付面２２３から構成されている。
【００３２】
伝熱部２３０は、光源部７００が点灯時に発生する熱を、光源取付部２２０から放熱部２１０への伝熱を補助するものである。
【００３３】
伝熱部２３０は、略コ字形状をしており、コ字形状の対向する辺のうち一辺は放熱部２１０に当接しねじにより伝熱部固定孔２１５により固定される放熱部接触面２３１であり、放熱部接触面２３１と対向する辺は取付面２２３の光源部７００が取り付けられた面の反対面全面に当接する光源取付部接触面２３２である。
【００３４】
透光カバー３００は本体部下面部１２０をＬＥＤ光源部１００から照射される光を透光するものであり、本体部下面部１２０側に設けられた照射開口部１２１を覆うものであり、透光カバー３００は、枠部３１０と透光部３２０から構成されている。
【００３５】
枠部３１０は、「ロ」の字形状に透光部３００が取り付けられる透光部用開口部３１１を有した枠正面部３１２と、透光部３１０が配置される面方向に枠正面部３１２の周辺から垂直に立ち上がった枠側面部３１３と、透光部用開口部３１１の周辺に透光部３２０を取り付けるための透光部用スペーサー３１４が配設されている。
【００３６】
また、枠正面部３１２の本体取付面１３０側には、透光カバー３００を固定するための透光カバー固定孔３１５が形成されており、枠側面部３１３の本体正面１５０側には本体部１００に設けられた透光カバー連結蝶番１２４と連結するための蝶番取付孔３１６が形成されている。
【００３７】
透光部３２０は、ガラス及び透明樹脂など透光性に優れた材料から形成されており、枠部３１０の透光部用開口部３１１、透光部用スペーサー３１４に囲まれた位置に配置される。
【００３８】
透光部３２０は、所定の位置に設置された後、透光部用スペーサー３１４に押縁部３２１が取り付けられ透光部３２０は固定される。
【００３９】
透光カバー３００は、本体部１００の透光カバー連結蝶番１２４と蝶番取付孔３１６が連結され、本体部１００内部に挿入される。
くわえて、挿入にともない透光カバー３００の枠側面部３１３が、本体部１００の照射開口部１２１に当接する。
また、透光カバー３００はねじにより透光カバー固定孔３１５を介して、本体部１００の透光カバー固定ねじ孔１２３に固定される。
【００４０】
電源部４００は、電源本体部４１０と電源保持部４２０から構成されている。電源本体部４１０は、電源端子台６００を介して商用電源から供給される電力によって光源部７００を点灯させる。
【００４１】
電源保持部４２０は、断面が略Ｌ字形状をしており、電源固定部１７０に固定される第一の保持部４２１と、電源本体部４１０が取り付けられる第二の保持部４２２から構成されている。
【００４２】
この電源部４００は、照射開口部１２１から第一の固定部４２１が電源固定部１７０に当接し、第二の固定部４２２の電源本体部４１０が取り付けられた面と反対面が本体部横側面１６０と当接するように挿入される。
さらに、第一の固定部４２１がねじにより電源固定ねじ孔１７１に固定される。
【００４３】
反射板５００は、光源部７００からの光を本体部下面部１２０方向へ照射するものである。反射板５００は、断面が山形形状をなし、山形形状の頂部が本体部下面部１２０の方向へ向くように配置されている反射面５２０と、この反射面５２０の根元から本体部下面部１２０の方向へ外側斜めに形成されているＬＥＤ取付面５１０から構成されている。
【００４４】
反射板５００は、断面形状が「Ｗ」字形状をなし、外側の２つの傾斜面を形成するＬＥＤ透光面部５１０と、内側の２つの傾斜面を形成する反射面部５２０と、ＬＥＤ透光面部５１０及び反射面部５２０の両端部に取り付けられる側方塞面部５３０を備える。
【００４５】
この反射板５００は、図５に示すように、反射板５００の断面（ＬＥＤ透光面部５１０と反射面部５２０）が連続的に形成されている。
【００４６】
ＬＥＤ透光面部５１０及び反射面部５２０が連続的に形成され、ＬＥＤ透光面部５１０及び反射面部５２０の長手方向の両端部に側方塞面５３０が取り付けられたときの長さは、本体部上面部１１０から突出している対になる反射板固定部１４０の間に嵌め込みが可能な長さである。
【００４７】
ＬＥＤ取付面５１０は、丸型のＬＥＤ開口孔５１１を有しており、ＬＥＤ開口孔５１１は、光源部７００からの光を透過させる形状をしている。
【００４８】
反射面５２０は、本体部上面部１１０方向へ円弧状に凹んでいる円弧部５２１と、この円弧部５２１の本体部下面部１２０側の端部から本体部下面部１２０の方向へ内側斜めに形成されている傾斜面５２２を有している。
【００４９】
反射面５２０は、光源部７００から発せられる光のうち一部を円弧部５２１及び傾斜面５２２によって反射させる。この反射面５２０（円弧部５２１及び傾斜面５２２）に当たることがない光は反射・遮蔽せず透過させる。
【００５０】
側方塞面５３０は、反射面部５２０の両側面を塞ぐ形状をしており、本体部下面部１２０側には、外部方向へ本体部下面部１２０と平行に形成された反射板取付部５３１を備えている。また、反射板取付部５３１は反射板取付孔５３２が形成されている。
【００５１】
このように、反射板５００がＬＥＤ透光面部５１０、反射面部５２０及び側方塞面５３０で構成されることによって、反射板５００は、本体部１００の照射開口部１２１より、反射面部５２０の傾斜部５２２が本体部下面部１２０の方向に向き、反射板取付部５３１が反射板固定部水平面１４２に当接し、対になる反射板固定部１４０の間に挿入することができる。
さらに、反射板取付部５３１がねじにより反射板固定ねじ孔１４３に固定することができる。
【００５２】
電源端子台６００は、電源引込孔１３２から本体部１００内部に引き込まれた電源線と、電源部４００に商用電源からの電力を供給するための電線が接続されている。
また、本体取付面１３０と、本体部取付面部１３０側に配置された反射板固定部１４０の間に配置され、本体部上面部１１０に取り付けられている。
【００５３】
光源部７００は、光源取付部２２０に取り付けられるとともに、電線を介して電源本体部４１０に接続され、電源本体部４１０から供給される電力により点灯する。
【００５４】
この光源部７００は、ＬＥＤ発光部７１０と、ＬＥＤ保持部７２０から構成されている。
【００５５】
光源部７００は、ＬＥＤ発光部７１０が取付面２２３に当接し、ＬＥＤ保持部７２０がＬＥＤ発光部７１０を取付面２２３に押さえ込み保持している。このように、光源部７００が傾斜している取付面２２３に取り付けられることによって、光源部７００は、本体部下面部１２０に対して斜め内側に向かって照射する。
【００５６】
光源部７００のＬＥＤ発光部７１０は、反射板５００のＬＥＤ開口孔５１１からＬＥＤ発光部７１０から見える状態で、このＬＥＤ開口孔５１１と隣接した位置に配置される。
したがって、ＬＥＤ発光部７１０から発しられた光は、ＬＥＤ発光部７１０から本体部下面部１２０に対して斜め内側方向へ照射される光（直接光）と、反射板５００による反射される光（反射光）とが交差するように照射され、広範囲を照射することが可能である。
【００５７】
この実施の形態で説明した内容は以下の通りである。
本実施の形態は、街路灯など屋外で使用する照明器具１０００において、照明器具１０００の本体部上面部１１０を覆う放熱ユニット２００が、本体部上面部１１０と略同一サイズの放熱部２１０に、光源部７００が取り付けられる光源取付部２２０と、光源部７００が点灯時に発する熱を放熱部２１０に伝熱する伝熱部２３０と、光源部７００により構成することで、組立作業性にすぐれ、効率よく放熱が可能な照明器具１０００の提供することができる。
【００５８】
また、本実施の形態では、光源部７００は光源取付部２２０によりＬＥＤ発光部７１０から本体部下面部１２０に対して斜め内側方向へ照射される。この斜め内側に照射される光（直接光）と、反射板５００からの反射される光（反射光）により、広範囲を照射することが可能である。
【００５９】
また、本実施の形態では、光源取付部２２０の取付部２２３は、ＬＥＤ発光部７１０が本体部下面部１２０に対して斜め内側方向へ照射できるように傾斜しているため、挿入部１１１を小さくでき、あわせて本体部１００を小さくすることが可能である。あわせて電源部４００を本体部１００内部に効率よく配置することが可能である。
【００６０】
また、本実施の形態では、放熱部２１０、光源取付部２２０及び、伝熱部２３０の材質がアルミ二ウムである場合について説明したが、放熱性に優れ、屋外で使用可能な耐候性の高い他の材料であっても構わない。
【００６１】
また、本実施の形態では、本体部上面部１１０側に放熱ユニット２００、本体部下面部１２０側に透光カバー３００が配置された形態について説明しているが、これに限定されることなく、放熱ユニット２００と透光カバー３００とで本体部１００を挟むように配置すればよく、本体部１００の側面方向であってもかまわない。
【００６２】
また、本実施の形態では、透光カバー３００を要する場合に関して説明したが、透光カバー３００がない下面開放型の照明器具であってもかまわない。
【００６３】
また、本実施の形態では、光源取付部２２０、伝熱部２３０が別部材で説明を行なっているが、一体になっているものでもよい。
【００６４】
また、本実施の形態では、照明器具１０００の形状を四角形状で説明を行なっているが円柱などの形状であってもよい。
【００６５】
また、本実施の形態では、ねじによる部材の固定を行なっているが溶接、リベット止めなどによる固定方法でも良い。
【符号の説明】
【００６６】
１０００  照明器具、１００  本体部、１１０  本体部上面部、１１１  挿入部、１１２  スペーサー、１１３  天面カバー用ねじ孔、１２０  本体部下面部、１２１  照射開口部、１２２  透光カバー受部、１２３  透光カバー固定ねじ孔、１２４  透光カバー連結蝶番、１３０  本体取付面、１３１  取付孔、１３２  電源引込孔、１４０  反射板固定部、１４１  反射板固定部垂直面、１４２  反射板固定部水平面、１４３  反射板固定ねじ孔、１５０  本体正面部、１６０  本体横側面、１７０  電源固定部、１８０  端子台、２００  放熱ユニット、２１０  放熱部、２１１  放熱部本体面、２１２  放熱部側面、２１３  放熱部取付孔、２１４  光源取付部固定孔、２１５  伝熱部固定孔、２１６  パッキン、２２０  光源取付部、２２１  接触面、２２２  垂直面、２２３  取付面、２３０  伝熱部、２３１  放熱部接触面、２３２  光源取付部接触面、３００  透光カバー、３１０  枠部、３１１  透光部用開口部、３１２  枠正面部、３１３  枠側面部、３１４  透光部用スペーサー、３１５  透光カバー固定孔、３１６  蝶番取付孔、３２０  透光部、４００  電源部、４１０  電源本体部、４２０  電源保持部、４２１  保持部Ａ、３２１  押縁部、４２２  保持部Ｂ、５００  反射板、５１０  ＬＥＤ透過面、５１１  ＬＥＤ開口孔、５２０  反射面、５２１  円弧部、５２２  傾斜部、５３０  側方塞面、５３１  反射板取付部、５３２  反射板取付孔、６００  端子台、７００  光源部、７１０  ＬＥＤ発光部、７２０  ＬＥＤ保持部。
【図１】
2015099682.tif 000003
【図２】
2015099682.tif 000004
【図３】
2015099682.tif 000005
【図４】
2015099682.tif 000006
【図５】
2015099682.tif 000007
【図６】
2015099682.tif 000008